(57)【要約】      （修正有）【課題】視聴前（未視聴）録画コンテンツの誤消去（誤削除）を低減する。【解決手段】電子機器は、録画コンテンツのリストを出力し、このリストから指定された、削除する録画コンテンツを識別表示する表示部を備える。また、上記指定された録画コンテンツの第１の削除指示を受信し、上記削除指示された録画コンテンツより前の、未視聴の録画コンテンツがあるかを検出する検出部を備える。また、上記録画コンテンツが検出された場合に、警告を出力する警告出力部を備える。また、上記警告を出力した場合に、上記指定された録画コンテンツの第２の削除指示の受信を検出し、上記第２の削除指示を受信した場合に、上記指定された録画コンテンツを削除処理する削除処理部を備える。【選択図】図４
2013239931.tif 000002
【特許請求の範囲】
【請求項１】
録画コンテンツのリストを出力するリスト出力部と、
前記出力されたリストから指定された、削除する録画コンテンツを識別表示する表示部と、
前記指定された録画コンテンツの第１の削除指示を受信し、前記削除指示された録画コンテンツより前の、未視聴の録画コンテンツがあるかを検出する検出部と、
前記録画コンテンツが検出された場合に、警告を出力する警告出力部と、
前記警告を出力した場合に、前記指定された録画コンテンツの第２の削除指示の受信を検出し、前記第２の削除指示を受信した場合に、前記指定された録画コンテンツを削除処理する削除処理部を備える電子機器。
【請求項２】
前記第２の削除指示を受信しない場合は、前記削除する録画コンテンツを識別表示する請求項１に記載の電子機器。
【請求項３】
前記指定された録画コンテンツが複数の場合は、一括に削除処理する請求項１に記載の電子機器。
【請求項４】
前記第１の削除指示および前記第２の削除指示を受信する受信部を備える請求項１に記載の電子機器。
【請求項５】
前記削除指示された録画コンテンツより前の、未視聴の録画コンテンツが検出されない場合は、前記指定された録画コンテンツを削除処理する請求項１に記載の電子機器。
【請求項６】
録画コンテンツのリストを出力するステップと、
前記出力されたリストから指定された、削除する録画コンテンツを識別表示するステップと、
前記指定された録画コンテンツの第１の削除指示を受信し、前記削除指示された録画コンテンツより前の、未視聴の録画コンテンツがあるかを検出するステップと、
前記録画コンテンツが検出された場合に、警告を出力するステップと、
前記警告を出力した場合に、前記指定された録画コンテンツの第２の削除指示の受信を検出し、前記第２の削除指示を受信した場合に、前記指定された録画コンテンツを削除処理するステップを備える電子機器の制御方法。
【請求項７】
録画コンテンツのリストを出力するステップと、
前記出力されたリストから指定された、削除する録画コンテンツを識別表示するステップと、
前記指定された録画コンテンツの第１の削除指示を受信し、前記削除指示された録画コンテンツより前の、未視聴の録画コンテンツがあるかを検出するステップと、
前記録画コンテンツが検出された場合に、警告を出力するステップと、
前記警告を出力した場合に、前記指定された録画コンテンツの第２の削除指示の受信を検出し、前記第２の削除指示を受信した場合に、前記指定された録画コンテンツを削除処理するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
ユーザがコンテンツを消去する際に、消去対象として選択されたコンテンツに関連付けられたコンテンツのうち古いコンテンツのみを一括選択して消去対象コンテンツとし、複数のコンテンツを消去可能なコンテンツ処理装置が開示されている。
【先行技術文献】
【特許文献】
【０００３】
【特許文献１】特開２００７−３１２０４２号公報
【発明の概要】
【発明が解決しようとする課題】
【０００４】
しかし、例えば、ユーザの誤操作等により、視聴前（未視聴）の録画コンテンツが消去（削除）されてしまう恐れがあった。
【０００５】
このため、視聴前（未視聴）録画コンテンツの誤消去（誤削除）を低減することが課題になっていた。
【課題を解決するための手段】
【０００６】
実施形態の電子機器は、録画コンテンツのリストを出力するリスト出力部を備える。
【０００７】
また、上記出力されたリストから指定された、削除する録画コンテンツを識別表示する表示部を備える。
【０００８】
また、上記指定された録画コンテンツの第１の削除指示を受信し、上記削除指示された録画コンテンツより前の、未視聴の録画コンテンツがあるかを検出する検出部を備える。
【０００９】
また、上記録画コンテンツが検出された場合に、警告を出力する警告出力部を備える。
【００１０】
また、上記警告を出力した場合に、上記指定された録画コンテンツの第２の削除指示の受信を検出し、上記第２の削除指示を受信した場合に、上記指定された録画コンテンツを削除処理する削除処理部を備える。
【図面の簡単な説明】
【００１１】
【図１】実施形態に係わる電子機器の外観を示す図。
【図２】実施形態に係わる電子機器の構成の一例を示すブロック図。
【図３】実施形態に係わる電子機器に用いられるリモコンの一例を示す図。
【図４】実施形態に係わる電子機器の表示部に出力されるユーザインターフェースの一例を示す図。
【図５】実施形態に係わる電子機器の動作を説明するフローチャート。
【発明を実施するための形態】
【００１２】
以下、図面を参照し、実施の形態を説明する。
【００１３】
図１は、実施形態に係わる電子機器の外観を示す図である。
【００１４】
この実施形態においては、電子機器（テレビ）１は、放送番組を受信し、内蔵する録画媒体や外付けの録画媒体に録画することが可能である。
【００１５】
この実施形態においては、電子機器１は、例えば、ユーザによってリモコン（リモートコントローラ）２１が操作される。このリモコン２１から出力されたリモコン信号が電子機器１の操作受信部２０で受信される。
【００１６】
リモコン信号を受信した電子機器１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００１７】
また、この電子機器１は、例えば、ＵＳＢ端子等で外付けされる外部記憶機器（ＨＤＤ等）１９を備えている。そして、例えば、映像出力装置１で受信された放送を、この外部記憶機器１９に録画することが可能である。
【００１８】
また、この電子機器１は、この電子機器１に接続、あるいは、内蔵されるバッテリを備えている（特に図示せず）。
【００１９】
このバッテリは、例えば、商用電源から給電を受け、充電することが可能である。
【００２０】
ここで、上記バッテリ３０の説明をする。バッテリ３０は、例えば、リチウムイオン二次電池やリチウムイオンポリマー二次電池を用いたバッテリパックで構成される。
【００２１】
リチウムイオン二次電池は、非水電解質二次電池の一種で、電解質中のリチウムイオンが電気伝導を担う二次電池である。現在、正極にリチウム金属酸化物を用い、負極にグラファイトなどの炭素 材を用いるものが多い。リチウムイオン二次電池は、リチウムイオン電池、リチウムイオンバッテリー、Ｌｉ−ｉｏｎ電池、ＬＩＢ、ＬｉＢとも表記されることがある。
【００２２】
また、リチウムイオンポリマー二次電池は、電解質として電解液のかわりに高分子ゲルを使用する。これも、リチウムイオン電池の一種である。
【００２３】
この実施の形態に係る電子機器１は、通常、商用電源（ＡＣ電源、図示せず）から給電を受け、動作するが、例えば、商用電源が停電し、給電が受けられない場合等に、このバッテリ３０からの給電に切替えて、動作を行なうことが可能である。
【００２４】
なお、ここでは、電子機器１は映像表示部８を含む構成になっているが、例えば、電子機器１と映像表示部８が別体に構成されても良い。
【００２５】
ここでは電子機器１の一例として録画を行なうことが可能なテレビを用いて説明を行うが、この実施形態においては、電子機器１はテレビに限られることはなく、録画機能を備える録画機器やパーソナルコンピュータ（ＰＣ）、携帯型端末等の電子機器に適用することも可能である。
【００２６】
図２は、実施形態に係わる電子機器の構成を示すブロック図である。
【００２７】
この実施形態においては、制御部１１はＣＰＵ（１２）を備えている。そして、ＣＰＵ（１２）は電子機器１を制御する。また、ＲＡＭ（１３）、ＲＯＭ（１４）、フラッシュメモリ１５は、例えば、制御部１１で行われる処理に利用される。
【００２８】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００２９】
なお、この実施形態においては、特に図示しないが、複数の放送番組を同時に受信し、同時に録画することも可能である。
【００３０】
信号処理部４で受信されたデジタル信号の映像コンテンツは信号処理が施され、音声処理部６および映像処理部５に送信される。
【００３１】
音声処理部６は、信号処理が施された映像コンテンツを受信し、音声処理を施した信号をスピーカ９に送信する。
【００３２】
スピーカ９は、音声処理が施された信号を受信し、音声を出力する。
【００３３】
また、映像処理部５は、信号処理が施された映像コンテンツを受信し、映像処理を施した信号を表示装置７に送信する。
【００３４】
表示装置７は、映像処理が施された信号を受信し、ＬＣＤパネル等で構成される表示画面（映像表示部）８に映像を表示する。
【００３５】
また、この実施の形態においては、電子機器１は内部記憶装置１７を備えている。この内部記憶装置１７は、受信した放送を録画することが可能である。
【００３６】
また、この実施の形態においては、電子機器１は、上記のようにＵＳＢ接続やＬＡＮ接続される外部記憶機器１９を備えている。上記受信された映像コンテンツはこの外部記憶機器１９に記録することも可能である。
【００３７】
また、上記のように、電子機器１に対するユーザの操作は、例えばリモコン（リモートコントローラ）２１等の操作機器によって指示される。
【００３８】
これらの処理は、上記のように、制御部１１に制御される。
【００３９】
また、電子機器１は、送受信部（ネットワークインターフェース）２２、ネットワーク（インターネット）２６を介してサーバ２７に接続され、所定の情報を、このネットワーク（インターネット）２６を介して取得することが可能である。
【００４０】
また、上記のように、電子機器１は、バッテリを構成することが可能である。
【００４１】
図３は、実施形態に係わる映像出力装置に用いられるリモートコントローラ（リモコン）の一例を示す図である。
【００４２】
図３に示すように、リモートコントローラ２１は、電源ボタン３０、テンキー３１、チャンネルアップダウンキー３２を備えている。これらのテンキー３１やチャンネルアップダウンキー３２は、放送受信チャンネルの切替え操作に用いられる。
【００４３】
また、リモートコントローラ２１は、録画番組の再生キー３７、録画番組の逆戻しキー３６、録画番組の早送りキー３８、録画番組の再生停止キー３９、録画番組の一時停止キー４０を備えている。
【００４４】
図４は、実施形態に係わる電子機器の表示部に出力されるユーザインターフェースの一例を示す図である。
【００４５】
この実施形態においては、例えば、ユーザがリモコン２１を操作し、図４（ａ）に示すように、上記のように録画媒体（記録媒体）に録画された放送番組、すなわち、録画コンテンツのリスト（コンテンツリスト）が表示画面８に出力される（リスト出力部）。
【００４６】
この実施形態のリスト出力部においては、上記のように出力されたリスト（コンテンツリスト）から、例えば、リモコン２１を操作するユーザによって、削除する録画コンテンツが指定される。
【００４７】
そして、この指定された、削除する録画コンテンツは、図４（ａ）に示すように、識別表示される。
【００４８】
この録画コンテンツのリスト（コンテンツリスト）には、例えば、「削除」欄が設けられている。
【００４９】
ここでは、この「削除」欄に、図４（ａ）に示すようなチェック表示が表示されている録画コンテンツは、ユーザによって、録画コンテンツの削除が指定されたことを、識別可能に表示している。
【００５０】
例えば、図４（ａ）に示す録画コンテンツ「ドラマ○○物語（第９回）」４１ｃは、「削除」欄にチェック表示が表示されている。これは、ユーザによって、削除が指定されたことを、識別可能に表示している。
【００５１】
また、録画コンテンツ「歌番組ＡＢＣ」４１ａは、「削除」欄にチェック表示が表示されていない。これは、ユーザによって、削除が指定されていないことを、識別可能に表示している。
【００５２】
また、同様に、録画コンテンツ「ドラマ○○物語（第８回）」４１ｂも、「削除」欄にチェック表示が表示されておらず、ユーザによって、削除が指定されていないことを、識別可能に表示している。
【００５３】
また、同ドキュメンタリテンツ「ドキュメンタリ」４１ｄも、「削除」欄にチェック表示が表示されておらず、ユーザによって、削除が指定されていないことを、識別可能に表示している。
【００５４】
なお、後述するように、この実施形態においては、録画コンテンツ「ドラマ○○物語（第８回）」４１ｂと録画コンテンツ「ドラマ○○物語（第９回）」４１ｃは連続ドラマであり、（第８回）と（第９回）のように、両者は連続性を持った関係にある（いわゆるシリーズ物）。
【００５５】
すなわち、録画コンテンツ「ドラマ○○物語（第８回）」４１ｂが先に放送され、録画コンテンツ「ドラマ○○物語（第９回）」４１ｃは録画コンテンツ「ドラマ○○物語（第８回）」４１ｂの後に放送される関係にある。
【００５６】
また、この録画コンテンツのリスト（コンテンツリスト）には、例えば、「視聴」欄が設けられている。
【００５７】
この「視聴」欄には、例えば、「ＮＥＷ」の表示がされているものと、「ＮＥＷ」の表示がされていないものがある。
【００５８】
ここでは、この「ＮＥＷ」の表示がされているものは、該当する録画コンテンツが視聴前（未視聴）であることを示している。
【００５９】
また、この「ＮＥＷ」の表示がされていないものは、該当する録画コンテンツが視聴された（視聴済である）ことを示している。
【００６０】
例えば、録画コンテンツ「ドラマ○○物語（第９回）」４１ｃは、「視聴」欄に「ＮＥＷ」の表示がされている。これは、この録画コンテンツが視聴されていない（視聴前である）ことを識別可能に表示している。
【００６１】
また、録画コンテンツ「歌番組ＡＢＣ」４１ａは、「視聴」欄に「ＮＥＷ」の表示がされていない。これは、この録画コンテンツが視聴された（視聴済である）ことを識別可能に表示している。
【００６２】
また、同様に、録画コンテンツ「ドラマ○○物語（第８回）」４１ｂも、「視聴」欄に「ＮＥＷ」の表示がされている。これは、この録画コンテンツが視聴されていない（視聴前である）ことを識別可能に表示している。
【００６３】
また、同様に、録画コンテンツ「ドキュメンタリ」４１ｄも、「視聴」欄に「ＮＥＷ」の表示がされている。これは、この録画コンテンツが視聴されていない（視聴前である）ことを識別可能に表示している。
【００６４】
なお、上記「ＮＥＷ」の表示は、例えば、録画コンテンツが視聴前（未視聴）のものには「視聴前」や「未視聴」と表示したり、上記「ＮＥＷ」の表示がされていないものは、「視聴後」や「視聴済」と表示したり、適宜変更することが可能である。
【００６５】
そして、この実施形態の電子機器１は、例えば、ユーザによって、リモコン２１の「決定ボタン」３３が押下操作され、リモコン２１から出力された、リモコン信号（上記削除が指定されている録画コンテンツ「ドラマ○○物語（第９回）」４１ｃの削除指示（第１の削除指示）を受信する。
【００６６】
そして、上記削除指示された録画コンテンツ（「ドラマ○○物語（第９回）」４１ｃ）より前の、未視聴の録画コンテンツがあるかを検出する（検出部）。
【００６７】
この検出は、制御部１１で実行される。
【００６８】
そして、上記録画コンテンツ（「ドラマ○○物語（第９回）」４１ｃ）が検出された場合に、図４（ｂ）に示すように、警告を出力する（警告出力部）。
【００６９】
ここでは、例えば、表示画面８に図４（ｂ）に示すような警告表示「選択／指定されたコンテンツより古い、未視聴のコンテンツがあります。削除してもよろしいですか？」が出力される。
【００７０】
上記のように、この実施形態においては、録画コンテンツ「ドラマ○○物語（第８回）」４１ｂと録画コンテンツ「ドラマ○○物語（第９回）」４１ｃは連続ドラマであり、録画コンテンツ「ドラマ○○物語（第８回）」４１ｂが先に放送され、録画コンテンツ「ドラマ○○物語（第９回）」４１ｃは録画コンテンツ「ドラマ○○物語（第８回）」４１ｂの後に放送される関係にある。
【００７１】
そして、ここでは、図４（ａ）に示すように、上記連続ドラマで、後に放送された録画コンテンツ「ドラマ○○物語（第９回）」４１ｃは削除が指定されている（「削除」欄にチェック表示されている）が、先に放送された録画コンテンツ「ドラマ○○物語（第８回）」４１ｂは削除が指定されていない（「削除」欄にチェック表示されていない）。
【００７２】
そこで、ここでは、例えば、図４（ｂ）に示す警告表示４２が出力される。
【００７３】
そして、上記警告を出力した場合に、電子機器１は、ユーザによる削除指示の確認、すなわち、上記指定された録画コンテンツの第２の削除指示が受信されたかを検出する。
【００７４】
そして、上記第２の削除指示が受信された場合に、上記指定された録画コンテンツを削除処理する（削除処理部）。
【００７５】
ここでは、例えば、リモコン２１を操作するユーザにより、「はい」４３ａが指定されると、リモコン２１から上記第２の削除指示が送信される。例えば、電子機器１の操作受信部２０は、このリモコン２１から送信された第２の削除指示を受信する。
【００７６】
また、「いいえ」４３ｂが指定されると、リモコン２１からは、上記第２の削除指示とは異なる信号（例えば、上記図４（ａ）に示すような、削除する録画コンテンツを識別表示指示する信号）が出力される。
【００７７】
あるいは、他の例として、上記第２の削除指示を受信しない場合は、上記図４（ａ）に示す、削除する録画コンテンツを識別表示する表示を行っても良い。
【００７８】
図４（ｃ）は、例えば、上記のように、表示画面８に図４（ｂ）に示す警告表示「選択／指定されたコンテンツより古い、未視聴のコンテンツがあります。削除してもよろしいですか？」が出力され、ユーザによって録画コンテンツの削除指示（第２の削除指示）が操作され、電子機器１がこの削除指示（第２の削除指示）を受信した場合に、上記指定された録画コンテンツを削除処理する場合に出力される表示例である。
【００７９】
ここでは、例えば、「選択／指定されたコンテンツを削除しました。（コンテンツのみを削除しました）」４４という表示が表示画面８に出力される。
【００８０】
また、上記のように、表示画面８に図４（ｂ）に警告表示を行う録画コンテンツは、上記連続ドラマのように連続性がある、例えば、シリーズ物であることが望ましい。
【００８１】
図５は、実施形態に係わる電子機器の動作を説明するフローチャートである。
【００８２】
ステップＳ１００は、ここでの開始ステップである。続いて、ステップＳ１０１に進む。
【００８３】
ステップＳ１０１は、例えば、表示画面８に、録画番組リスト（コンテンツリスト）４０を表示出力するステップである。続いて、ステップＳ１０２に進む。
【００８４】
ステップＳ１０２は、ユーザに指定された、削除するコンテンツを識別表示するステップである。例えば、図４（ａ）に示す録画コンテンツ「ドラマ○○物語（第９回）」４１ｃのように、「削除」欄にチェック表示が表示される。これにより、削除が指定されたことが、識別可能に表示される。続いて、ステップＳ１０３に進む。
【００８５】
ステップＳ１０３は、指定された録画コンテンツの削除指示を受信するステップである。例えば、指定された録画コンテンツが複数ある場合は、これら複数の録画コンテンツを一括して削除または消去（一括消去指示）するようにしても良い。続いて、ステップＳ１０４に進む。
【００８６】
ステップＳ１０４は、削除または消去が指示された録画コンテンツより前の、未視聴の録画コンテンツはあるかを検出するステップである。例えば、上記録画コンテンツ「ドラマ○○物語（第８回）」４１ｂは、未視聴（「ＮＥＷ」の表示がない）であり、また、削除が指定されていない。
【００８７】
このため、この場合は、削除または消去が指示された録画コンテンツ（録画コンテンツ「ドラマ○○物語（第９回）」４１ｃ）より前の、未視聴の録画コンテンツ（録画コンテンツ「ドラマ○○物語（第８回）」４１ｂ）はあると検出される。
【００８８】
そして、削除または消去が指示された録画コンテンツより前の、未視聴の録画コンテンツはあると検出される場合は、ステップＳ１０５に進む（Ｙｅｓ）。また、削除または消去が指示された録画コンテンツより前の、未視聴の録画コンテンツはないと検出される場合は、ステップＳ１０７に進む（Ｎｏ）。
【００８９】
ステップＳ１０５は、例えば、図４（ｂ）に示すような、警告表示を出力するステップである。続いて、ステップＳ１０６に進む。
【００９０】
ステップＳ１０６は、上記削除指示（第２の削除指示）を受信したかを検出するステップである。削除指示（第２の削除指示）を受信したと検出される場合は、ステップＳ１０７に進む（Ｙｅｓ）。削除指示（第２の削除指示）を受信したと検出されない場合は、ステップＳ１０２に進み、上記処理を繰り返す（Ｎｏ）。このとき、例えば、ユーザは、録画コンテンツ「ドラマ○○物語（第９回）」４１ｃの削除指示が誤りであれば、これに気付くことが可能である。
【００９１】
ステップＳ１０７は、上記指定された録画コンテンツ（例えば、録画コンテンツ「ドラマ○○物語（第９回）」４１ｃ）を、実質的に、上記削除指示（第２の削除指示）に基づいて、削除処理するステップである。続いて、ステップＳ１０８に進む。
【００９２】
ステップＳ１０８は、終了ステップであり、ここでの処理は終了する。
【００９３】
上記のように、この実施形態の電子機器１は、ユーザが視聴前の連続ドラマ等のシリーズ物のコンテンツを、例えば、誤って削除しないように促すことが可能になる。
【００９４】
また、例えば、ユーザが視聴前のコンテンツの削除を実行しようした時に、削除を実行しても良いか、確認を促すことが可能になる。
【００９５】
また、削除が指定／選択された、シリーズ物のコンテンツよりも、そのシリーズの、古くて視聴前のコンテンツがあれば、誤って選択した可能性があるので、ユーザに対し、確認を促すメッセージを表示することが可能になる。
【００９６】
すなわち、この実施形態に係る電子機器（例えば、テレビ）１は、録画コンテンツのリストを出力するリスト出力部（表示画面８）を備える。
【００９７】
また、上記出力されたリストから指定された、削除する録画コンテンツを識別表示する表示部（表示画面８）を備える。
【００９８】
また、上記指定された録画コンテンツの第１の削除指示を受信し、上記削除指示された録画コンテンツより前の、未視聴の録画コンテンツがあるかを検出する検出部（制御部１１）を備える。
【００９９】
また、上記録画コンテンツが検出された場合に、警告を出力する警告出力部（表示画面８）を備える。
【０１００】
また、上記警告を出力した場合に、上記指定された録画コンテンツの第２の削除指示の受信を検出し、上記第２の削除指示を受信した場合に、上記指定された録画コンテンツを削除処理する削除処理部（制御部１１）を備える。
【０１０１】
すなわち、この実施形態においては、電子機器（例えば、テレビ）１は、録画コンテンツの第１の削除指示および録画コンテンツの第２の削除指示を受信した場合に、指定された録画コンテンツを削除処理する。
【０１０２】
また、上記第２の削除指示を受信しない場合は、上記削除する録画コンテンツを識別表示する（図４（ａ））。
【０１０３】
また、特に図示しないが、上記指定された録画コンテンツが複数の場合は、一括に削除処理しても良い。
【０１０４】
また、上記第１の削除指示および上記第２の削除指示を受信する受信部（操作受信部２０）を備える。
【０１０５】
また、上記削除指示された録画コンテンツより前の、未視聴の録画コンテンツが検出されない場合は、上記指定された録画コンテンツを削除処理する（制御部１１）。
【０１０６】
これにより、例えば、ユーザが、視聴前のコンテンツの削除を実行しようした時、電子機器１が削除を実行してよいか確認を促すことにより、間違って削除されることを防ぐことが可能になる。
【０１０７】
上記のように構成することによって、この実施の形態においては、視聴前（未視聴）録画コンテンツの誤消去（削除）を低減することが可能になる。
【０１０８】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１０９】
なお、上記実施形態は、記述そのものに限定されるものではなく、実施段階では、その趣旨を逸脱しない範囲で、構成要素を種々変形して具体化することが可能である。
【０１１０】
また、上記実施形態に開示されている複数の構成要素の適宜な組み合せにより種々の発明を形成できる。
【０１１１】
例えば、実施形態に示される全構成要素から幾つかの構成要素を削除してもよい。更に、異なる実施形態に亘る構成要素を適宜組み合せてもよい。
【符号の説明】
【０１１２】
１…電子機器（テレビ）、８…映像表示部（表示画面）、１７…内部記録装置、１９…外部記録機器、２１…リモートコントローラ（リモコン）、３３…決定キー。
【図１】
2013239931.tif 000003
【図２】
2013239931.tif 000004
【図３】
2013239931.tif 000005
【図４】
2013239931.tif 000006
【図５】
2013239931.tif 000007